(57)【要約】      （修正有）【課題】体の洗浄と同時にマッサージ効果を生む浴用タオルを提供する。【解決手段】浴用タオル１と浴用タオル１の間に凹凸物２を組み込む事で、浴用タオルの表面に凹凸が現れると同時に、凹凸物２の硬さによって、体の洗浄時に凹凸物２が体の肌、筋肉を揉んでくれる作用がある。【選択図】図１
0003208819.tif 000002
【実用新案登録請求の範囲】
【請求項１】
浴用タオル（一般のタオルを含む）に、凹凸物のある素材を加工して、マッサージ効果、リラックス効果、洗浄効果を増大させるタオル。
【請求項２】
浴用タオルにおいて、軽量かつ柔軟な素材からなる円柱形状のマッサージ機能部材を、タオルの長手方向に対して所定の間隔をあけて平行に複数を配置固定したことを特徴とするマッサージ機能付き浴用タオル。
【考案の詳細な説明】
【技術分野】
【０００１】  本考案は、入浴時に使用する浴用タオルに関するものであり、さらに詳しくは洗浄効果とマッサージ効果を兼ね備えた浴用タオルに関するものである。
【背景技術】
【０００２】  従来より、入浴時の身体洗浄用具として、種々のものが提案され、かつ市場に供されている。人体の洗浄を主目的とするものとして、肌ざわりが柔軟で、快よい適度の摩擦感を与え、女性や子供などが使用しても肌を傷つけることがなく、耐用命数を延長させて長く愛用することができる伸縮自在な浴用タオルが提案されていた（例えば、特許文献１参照）。また、洗浄とマッサージ効果を兼ね備えたものとして、タオルに小球を取り付けたものが提案されていた（例えば、特許文献２参照）。
【先行技術文献】
【特許文献】
【０００３】
【特許文献１】  実用新案登録第３１０３８４０号公報
【特許文献２】  特開２００６−２７１９４４号公報
【考案の概要】
【考案が解決しようとする課題】
【０００４】  入浴の際、体を洗う時に、体の汚れは落ちるが、疲れを取る事ができない。入浴時に求めるものは、体の洗浄だけではなく、疲れを取るものである。体の洗浄時にマッサージ機能を加える事で、前述の点について解決しようとするものである。
【課題を解決するための手段】
【０００５】  本考案は、浴用タオルに、円柱状の凹凸物を加えて作る事で体の洗浄と同時にマッサージ効果を生むものである。
また、実際の使用試験にて得た凹凸物の幅、凹凸物の配置（図面参照）により、体の凹凸に対してフィット感を増大させ、幅広いターゲットに対しての、より多くのマッサージ効果を増大させる事が可能である。
【考案の効果】
【０００６】  上述に加え、この加工によって出来た凹凸は、人間の身体の凹凸に合わせて洗浄効果を増大させる。従って、体自体がスッキリする事で、ストレス発散、癒し効果も期待できる。
【図面の簡単な説明】
【０００７】
【図１】本案件のマッサージ機能付き浴用タオルの図面である。
【図２】マッサージ機能付き浴用タオルの横から見た図面である。
【図３】浴用タオルに組み込まれたマッサージ機能を有する部材の図面である。
【図４】マッサージ機能付き浴用タオルの製造工程の説明図（１）
【図５】マッサージ機能付き浴用タオルの製造工程の説明図（２）
【図６】マッサージ機能付き浴用タオルの製造工程の説明図（３）
【図７】マッサージ機能付き浴用タオルの製造工程の説明図（４）
【図８】マッサージ機能付き浴用タオルの製造工程の説明図（５）
【図９】マッサージ機能付き浴用タオルの製造工程の説明図（６）
【図１０】マッサージ機能付き浴用タオルの製造工程の説明図（７）
【図１１】マッサージ機能付き浴用タオルの製造工程の説明図（８）
【図１２】マッサージ機能付き浴用タオルの製造工程の説明図（９）
【図１３】マッサージ機能付き浴用タオルの製造工程の説明図（１０）
【図１４】マッサージ機能付き浴用タオルの他の実施例
【考案を実施するための形態】
【０００８】  本考案は、ボディタオルとボディタオルの間に円柱状物体（棒状物）を組み込む事で、ボディタオルの表面に凹凸が現れると同時に、円柱状物体の硬さによって、体の洗浄時に円柱状物体により形成される凹凸形状が体の肌、筋肉を揉んでくれる作用がある。
使用方法に関しては、一般的な浴用タオルと同様に使用できる。
その意図としては、特殊な使用方法では、対応できる消費者に限りが出る為、その効果が薄くなってしまう為である。
【０００９】  特に効果が期待できる体の部位としては、首筋から背中、背中から腰、尻にかけて襷状に洗浄する際に左右に動かす事で、マッサージ効果が期待できる。
また、太腿、脹脛、足の裏に関しても、同様の洗浄方法で効果を発揮する事が期待できる。さらに、長めの凹凸部分を足の指の間を洗浄する事で、足のマッサージ効果も期待出来る。
【００１０】  図１及び図２に示す実施例について、図４から図１３（工程（１）から工程（１０））を使いながら製造工程を詳細に説明する。
（１）平面の浴用タオルを使用する。
（２）（１）の浴用タオルを横幅方向に１／２に折りたたみ、２重とする。
（３）１／２に折った浴用タオルの折り目に沿ってタオルの長手方向中央付近をミシンで縫う。
（４）（３）のミシン縫製部からタオルの横幅方向他端部に向けて、平行にミシンで縫って複数のポケット部分を作成する。
（５）ポケット部分の中に、長いマッサージ効果（機能）部材を一つ置きに入れる。
（６）（５）の上の部分に（３）と平行にミシンで縫って、マッサージ効果部材をポケット部分の中に固定させる。
（７）（５）のマッサージ効果部材と互い違いになるようにポケット部分に短いマッサージ効果部材を入れる。
（８）（６）と同様にミシンで縫って、短いマッサージ効果部材をポケット部分の中に固定させる。
（９）（５）と同様に長いマッサージ部材を入れる。
（１０）（３）に平行してミシンで縫う。
以上のようにして、長尺２種類のマッサージ効果部材を２重にしたタオルの中に封入固定したマッサージ機能付き浴用タオルを製造する。マッサージ効果部材はタオルの間に封入固定されることで、使用中に移動してしまうようなこともない。
また、タオルの幅方向に、長い部材、短い部材、長い部材の順に配列することで、タオルをそのままの状態で使うことも、また幅方向に２つ折りにして使うこともできるようになっている。それにより体の洗浄部位に応じた形状でタオルを使用することができ、効果的なマッサージ・洗浄機能を果たすことができる。
【００１１】  なお、本考案で使用するマッサージ効果（機能）部材は、発砲ポリウレタンや発砲ポリエチレン等の軽量かつ柔軟な素材を使用し、部材の形状は円柱状（棒状）として、部材の長さは、長い部材で折りたたんだ状態のタオル幅の１／３から１／４くらい、短い部材は長い部材の１／２程度にする。
【００１２】  以上の実施例で説明したように、本考案は、浴用タオルにおいて、軽量かつ柔軟な素材からなる円柱形状のマッサージ機能部材を、タオルの長手方向に対して所定の間隔をあけて平行に複数を配置固定したことを特徴とするマッサージ機能付き浴用タオル、である。上記実施例ではマッサージ機能部材をタオル長手方向に直角に配置しているが、これに限らずに斜めに配置することも可能であり、また図１４に見るように交差して配置することも可能である
本案件は、浴用タオルに円柱形状の軽量かつ柔軟な部材を付加した物であり、マッサージ機能部材の縦横斜め等の配列を限定するものではない（図１４を参照）。
また、上記実施例では、マッサージ機能部材を二つ折りしたタオルの間にポケット部を形成して（タオルの間に挟み込んで）配置固定しているが、固定方法はこれに限られるものでもない。例えば糸や接着剤等で固定することも可能である。
【符号の説明】
【００１３】  １  浴用タオル
２  マッサージ機能部材
【図１】
0003208819.tif 000003
【図２】
0003208819.tif 000004
【図３】
0003208819.tif 000005
【図４】
0003208819.tif 000006
【図５】
0003208819.tif 000007
【図６】
0003208819.tif 000008
【図７】
0003208819.tif 000009
【図８】
0003208819.tif 000010
【図９】
0003208819.tif 000011
【図１０】
0003208819.tif 000012
【図１１】
0003208819.tif 000013
【図１２】
0003208819.tif 000014
【図１３】
0003208819.tif 000015
【図１４】
0003208819.tif 000016